(57)【要約】      （修正有）【課題】腕カバー部と手カバー部が着脱可能であり、腕カバー部内部の通風を良くし、手のひらが素手で物を直接掴むことが可能で、手作業や手洗い等が容易にできる日焼け防止腕カバーを提供する。【解決手段】腕カバー本体１は腕を覆う筒状の腕カバー部２と手カバー部３からなり、前記両部は着脱可能であり、腕カバー部の内側は網目状の生地４を設け、腕上部の基端に弾性腕締付部５を設け、他端の数箇所にボタン６を設け、手カバー部の手首側は前記腕カバー部に対応するボタンホールを設け、弾性手締付部８を設け、手カバー部の内面に指掛止部９を設け、手カバー部先端外面及び腕カバー部外面中央部に対応する面ファスナーを設け、長袖着用時に手カバー部３は単独で使用可能となり、面ファスナーを合致させることにより手作業や手洗い等が容易にできる構成の日焼け防止腕カバー。【選択図】図１
0003162706.tif 000002
【実用新案登録請求の範囲】
【請求項１】
本腕カバーは、腕カバー部と手カバー部からなり、前記両部は着脱可能であり、腕カバー部の内側は所要巾の網目状の生地を設け、腕カバー部の手首側の数箇所にボタンを設け、手カバー部の手首側は前記腕カバー部のボタンに対応するボタンホールを設け、腕カバー部と手カバー部を接続することを特徴とする日焼け防止腕カバー。
【請求項２】
手カバー部は手の甲から指全体を覆う半円形状とし、内面に親指を除く４本の指が同時に挿通可能な指掛止部を設け、手首側に弾性手締付部を設け、手先外面中央部と腕カバー部外面中央部に一対となる面ファスナー等を設け、手作業や手洗い等の作業を行う際に、前記手カバー部を手先から折り上げて腕カバー部に固定可能にしたことを特徴とする日焼け防止腕カバー。
【考案の詳細な説明】
【技術分野】
【０００１】  本考案は、腕カバー内部の通風を良くし、腕カバー部と手カバー部からなり、腕及び手全体の日焼けを防止するための日焼け防止腕カバーである。
【背景技術】
【０００２】  従来、日焼け防止の腕カバーは、腕全体を被覆する筒状や長手袋型の物が主流であった。【０００３】  また、手のひら部が開いており素手で自動車のハンドル等が操作できる特許文献１や、特許文献１の作用のほかに長袖用が別々に用意された特許文献２に記載のような腕カバーが提案されている。
【先行技術文献】
【特許文献】
【０００４】
【特許文献１】  実用新案登録第３０４５７９６号  公報
【特許文献２】  実開平７−４４０２６  公報
【考案の概要】
【考案が解決しようとする課題】
【０００５】  長手袋型の物は手のひらが覆われているため、手のひらに物の感触が伝わらず自動車、自転車等の運転時には手が滑る危険性があり、手が汚れた場合でも容易に手や腕を捲くり上げることが出来ないため手洗いに支障をきたし、また、長袖衣服で手先部分を日除けしたい場合には利用できない。【０００６】  特許文献１及び特許文献２に記載の腕カバーは手のひら部が開いて素手でハンドル操作が出来るが腕内部の通気性に乏しく、指掛止部に指を挿通した際に指に突っ張り感があり、特許文献２では長袖着衣用として別々の手カバーを用意しなければならないので不便である。
本考案は、以上の問題点を改善し、使い勝手を向上させた日焼け防止腕カバーを提供する。
【課題を解決するための手段】
【０００７】  腕カバー本体は、腕を覆おう筒状の腕カバー部と手の甲及び指全体を覆う手カバー部からなり、前記両部は着脱可能であり、腕カバー部の内側は所要幅の網目状の生地を設け、腕上部の基端に弾性腕締付部を設け、他端の手首側は数箇所にボタンを付着し、手カバー部の手首側は前記腕カバー部に対応するボタンホールを設ける。【０００８】  手カバー部は手の甲から指全体を覆う半円形状とし、内面に親指を除く４本の指が同時に挿通可能な指掛止部を設け、手首側に弾性手締付部を設ける。【０００９】  手カバー部の手先外面中央部と腕カバー部外面中央部に一対となる面ファスナー等を設ける。
【考案の効果】
【００１０】  上述の様に、本考案の日焼け防止腕カバーは腕カバー部と手カバー部が着脱可能で、長袖着用時は手カバー部のみで対応でき、腕カバー部内側に設けた網目状の生地は通風を良くし、熱が腕カバー内部に溜まるのを防ぐ。【００１１】  手のひらは素手になり、直に物が掴め、ハンドルを握る手が滑る心配がなく、快適な運転ができる。【００１２】  指掛止部は４本の指が同時に挿入することで指に違和感がなく手先が安定し、手首に設けた弾性手締付部は腕カバー部と手カバー部を安定させる。【００１３】  手カバー部の面ファスナーは手カバー部を折り上げて腕カバー部外面中央部に設けた面ファスナーと合致させることで手首から先が自由になり、買い物など荷物の出し入れや金銭の支払い等で手カバーが邪魔することなく作業ができ、手カバー部を折り上げた状態で手首締付部をたくし上げることで手カバー部はずり落ちず、腕カバーを外すことなく物を洗ったり、手洗い等が容易にできる。
【図面の簡単な説明】
【００１４】
【図１】  本考案の腕カバーを装着した正面図である。
【図２】  本考案の腕カバーを装着した背面図である。
【図３】  本考案の手カバー部を折り上げて装着した背面図である。
【図４】  本考案の長袖衣類を着用した時の手カバー部である。
【図５】  本考案の手カバー部及び腕カバー部の正面図である。
【図６】  本考案の手カバー部及び腕カバー部の背面図である。
【図７】  本考案の腕カバーの手の内側から見た展開図である。
【考案を実施するための形態】
【００１５】  腕カバー部内側に設けた網目状の生地は腕内部の通風を良くし、腕カバー部と手カバー部はボタンを介して着脱可能とし、親指を除く４本の指が同時に挿通可能な指掛止部は手先の捲れやズレを防ぎ、長袖衣類着用時は手カバー部のみが単独で装着できる。
【００１６】  指掛止部より指を外し手カバーを折り上げ、手カバー部先端と腕カバー部に設けた面ファスナーを合致させ、さらに弾性手首締付部をずり上げることで腕カバーを汚さず手作業や手洗い等が容易にできる。
【実施例】
【００１７】  以下、添付図面に従って実施例を説明する。
腕カバー本体１は、腕を覆う筒状の腕カバー部２と手の甲及び指全体を覆う手カバー部３からなり、前期両部は着脱可能であり、腕カバー部２の内側は所要幅の生地４を設け、腕上部の基端に弾性腕締付部５を設け、他端の手首側は数箇所にボタン６を設け、手カバー部３の手首側はボタンホール７を設ける。【００１８】  手カバー部３は手の甲から指全体を覆う半円形状とし、内面に親指を除く４本の指が同時に挿通可能な指掛止部８を設け、手首側に弾性手締付部９を設ける。【００１９】  手カバー部３の手先外面中央部と腕カバー部２外面中央部に対応する面ファスナー１０ａ、１０ｂを設ける。
【符号の説明】
【００２０】  １  腕カバー本体
２  腕カバー部
３  手カバー部
４  網目状の生地
５  弾性腕締付部
６  ボタン
７  ボタンホール
８  弾性手締付部
９  指掛止部
１０  面ファスナー
【図１】
0003162706.tif 000003
【図２】
0003162706.tif 000004
【図３】
0003162706.tif 000005
【図４】
0003162706.tif 000006
【図５】
0003162706.tif 000007
【図６】
0003162706.tif 000008
【図７】
0003162706.tif 000009
【手続補正書】
【提出日】平成22年6月24日(2010.6.24)
【手続補正１】
【補正対象書類名】実用新案登録請求の範囲
【補正対象項目名】全文
【補正方法】変更
【補正の内容】
【実用新案登録請求の範囲】
【請求項１】
＿＿腕カバー部と手カバー部からなり、前記両部は着脱可能であり、腕カバー部の内側には所要巾の網目状の生地を設け、腕カバー部の手首側には数箇所のボタンを設け、手カバー部の手首側には前記腕カバー部のボタンに対応するボタンホールを設け、腕カバー部と手カバー部を接続することを特徴とする日焼け防止腕カバー。
【請求項２】
前記手カバー部は手の甲から指全体を覆う半円形状とし、内面には親指を除く４本の指が同時に挿通可能な指掛止部を設け、手首側には弾性手締付部を設け、手先外面中央部と前記腕カバー部外面中央部に一対となる面ファスナーを設け、手作業や手洗い等の作業を行う際に、前記手カバー部を手先から折り上げて前記腕カバー部に固定可能としたことを特徴とする請求項１記載の日焼け防止腕カバー。
【手続補正２】
【補正対象書類名】明細書
【補正対象項目名】００１４
【補正方法】変更
【補正の内容】
【００１４】
【図１】  本考案の腕カバーを装着して手の平側から見た図である。
【図２】  本考案の腕カバーを装着して手の甲側から見た図である。
【図３】  本考案の腕カバーを装着して手カバー部を折り上げて面ファスナーで固定した状態を示す図である。
【図４】  本考案の腕カバーの手カバー部のみを装着して手の平側から見た図である。
【図５】  本考案の手カバー部及び腕カバー部の正面図である。
【図６】  本考案の手カバー部及び腕カバー部の背面図である。
【図７】  本考案の腕カバーの展開図である。